(57)【要約】      （修正有）【課題】支持形鋼の高速な定位及び便利な装設効果を達成させ、且つ調整台により支持形鋼に対する角度調整が行われるソーラーパネルモジュール用支持金具セットを提供する。【解決手段】ソーラーパネルモジュール用支持金具セットは、支持材２０と、調整台３０と、接合台４０とを備える。調整台はシャフト３４を介して支持材の上端に枢着され、シャフトを軸心として支持材に対して左右に偏心回転を行う。接合台は調整台の上面に固設されると共に設置空間を有し、設置空間は支持形鋼を直立装設させて定位させるために用いられる。また、接合台は設置空間に連通される対向し合う２つの貫通孔４６を更に有し、２つの貫通孔は固定部材により支持形鋼を接合台に固定させるために用いられる。【選択図】図１
0003217891.tif 000002
【実用新案登録請求の範囲】
【請求項１】
支持材と、
上部板及び２片の垂設片を有し、前記上部板は前記支持材の上端上方に位置され、前記２片の垂設片は前記上部板の対向する両側辺に連接され、シャフトにより前記支持材に共に枢着される調整台であって、前記調整台が前記シャフトを軸心として前記支持材に対して偏心回転を行うことと、
底板及び２片の立設片を有し、前記底板は前記調整台の前記上部板に連結され、前記２片の立設片は前記底板の対向する両側辺に連接され、且つ前記２片の立設片の内側面には第一位置決め部及び第二位置決め部をそれぞれ有し、２つの前記第一位置決め部は互いに対向し合い、２つの前記第二位置決め部も互いに対向し合う接合台であって、これにより前記接合台には前記底板の上面、前記２片の立設片の内側面、及び前記２片の立設片の前記第一位置決め部、前記第二位置決め部の間に第一設置空間が形成され、各前記立設片は前記第一位置決め部と前記第二位置決め部との間に位置されると共に前記第一設置空間に連通される第一貫通孔を更に有することとを備えることを特徴とするソーラーパネルモジュール用支持金具セット。
【請求項２】
前記支持材は円形ロッドであり、前記調整台の各前記垂設片は軸孔を有し、前記２つの軸孔には前記シャフトが貫設され、前記シャフトの軸方向は前記支持材の軸方向に垂直になることを特徴とする請求項１に記載のソーラーパネルモジュール用支持金具セット。
【請求項３】
前記支持材は形鋼であり、前記調整台の各前記垂設片は軸孔を有し、前記２つの軸孔には前記シャフトが貫設され、前記シャフトの軸方向は前記支持材の長さ方向に垂直になることを特徴とする請求項１に記載のソーラーパネルモジュール用支持金具セット。
【請求項４】
各前記第一位置決め部及び前記第二位置決め部は前記立設片の対向する両端にそれぞれ位置されることを特徴とする請求項１乃至３の何れか１項に記載のソーラーパネルモジュール用支持金具セット。
【請求項５】
各前記第一位置決め部及び前記第二位置決め部は前記立設片の一端及び前記立設片の中央部にそれぞれ位置され、これにより前記接合台には前記底板、前記２片の立設片の他端、及び前記２片の立設片の前記第二位置決め部の間に前記第一設置空間に隣接する第二設置空間が形成され、各前記立設片は第二貫通孔を更に有し、前記２つの第二貫通孔は互いに対向し合うと共に前記第二設置空間に連通されることを特徴とする請求項１乃至３の何れか１項に記載のソーラーパネルモジュール用支持金具セット。
【請求項６】
各前記第二貫通孔は細長い形状を呈し、且つ各前記第二貫通孔の長軸方向は前記シャフトの軸方向に垂直になることを特徴とする請求項５に記載のソーラーパネルモジュール用支持金具セット。
【請求項７】
前記調整台の垂設片及び前記接合台の前記立設片は互いに平行することを特徴とする請求項１に記載のソーラーパネルモジュール用支持金具セット。
【考案の詳細な説明】
【技術分野】
【０００１】
本考案は、ソーラーパネルモジュールに関し、更に詳しくは、高速に定位でき、着脱が便利であり、角度が調整可能であるという特性を有するソーラーパネルモジュール用支持金具セットに関する。
【背景技術】
【０００２】
よく知られているように、太陽光発電システムは主にソーラーパネルモジュールにより吸収される太陽光が電気エネルギーに変換された後に蓄電されて使用される。太陽光発電システムではソーラーパネルモジュールを架設させるために広い空間が必要であり、空間を効率的に利用する目的を達成させるため、従来はソーラーパネルモジュールを既存の建築物の屋根、室外の地面、または道路の側に架設させることで解決を図っている。
【考案の概要】
【考案が解決しようとする課題】
【０００３】
ところが、前述した従来のソーラーパネルモジュール架設技術では、すなわち、ソーラーパネルモジュールの架設過程において、一般的にはソーラーパネルモジュールの外フレーム及び外フレームを支持させる支持フレームを固定させるには非常に多くの部材が必要であり、定位させるのも容易ではなく、装設が面倒であるという問題があるほか、架設過程で実際の需要に応じてソーラーパネルモジュールの左右の偏心回転角度を調整することができないため、その後の使用において不便が生じた。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、ソーラーパネルモジュール用支持金具セットを提供することを目的とする。すなわち、支持形鋼と一緒に手早く装設及び定位を完成でき、実際の需要に応じて前記支持形鋼の左右の偏心回転角度を調整可能にする。
【課題を解決するための手段】
【０００６】
上記課題を解決するために、本考案のある態様のソーラーパネルモジュール用支持金具セットは、支持材と、調整台と、接合台とを備える。前記調整台は上部板及び２片の垂設片を有し、前記上部板は前記支持材の上端上方に位置され、前記２片の垂設片は前記上部板の対向する両側辺に連接されると共にシャフトを介して前記支持材に枢着され、前記調整台が前記シャフトを軸心として前記支持材に対して所定の角度で左右に偏心回転を行う。前記接合台は底板及び２片の立設片を有し、前記底板は前記調整台の上部板に連結され、前記２片の立設片は前記底板の対向する両側辺に連接される。前記２片の立設片の内側面には第一位置決め部及び第二位置決め部をそれぞれ有し、前記２つの第一位置決め部は互いに対向し合い、前記２つの第二位置決め部も互いに対向し合い、これにより前記接合台には前記底板、前記２片の立設片、及び前記２片の立設片の第一位置決め部及び第二位置決め部の間に第一設置空間が形成される。前記第一設置空間は支持形鋼を装設及び定位させるために用いられる。各前記立設片は第一貫通孔を更に有し、前記第一貫通孔は前記第一位置決め部と第二位置決め部との間に位置されると共に前記第一設置空間に連通される。前記第一貫通孔は固定部材により前記支持形鋼を前記接合台に固定させるために用いられる。
【０００７】
好ましくは、前記調整台の各前記垂設片は軸孔を有し、前記２つの軸孔には前記シャフトが貫設される。また、前記支持材は円形ロッドまたは形鋼であり、前者の場合、前記支持材の軸方向が前記シャフトの軸方向に垂直になり、後者の場合、前記支持材の長さ方向が前記シャフトの軸方向に垂直になる。これにより、前記調整台が前記シャフトを軸心として前記支持材に対して所定の角度で左右に偏心回転を行う。
【０００８】
好ましくは、各前記第一位置決め部及び第二位置決め部は前記立設片の対向する両端にそれぞれ位置され、前記接合台が１つの支持形鋼のみを装設及び定位させる。
【０００９】
好ましくは、各前記第一位置決め部及び第二位置決め部は前記立設片の一端及び前記立設片の中央部にそれぞれ位置され、前記接合台には前記底板、前記２片の立設片の他端、及び前記２片の立設片の第二位置決め部の間に前記第一設置空間に隣接する第二設置空間が形成される。前記第二設置空間は他の支持形鋼の装設及び定位に用いられる。また、各前記立設片は第二貫通孔を更に有し、前記２つの第二貫通孔は互いに対向し合うと共に前記第二設置空間に連通され、前記第二貫通孔は他の１組の固定部材により第二支持形鋼を前記接合台に固定させる。また、前記第二貫通孔は細長い形状を呈し、且つ前記第二貫通孔の長軸方向は前記シャフトの軸方向に垂直になる。これにより、第二支持形鋼の装設角度の調整が便利になる。
【考案の効果】
【００１０】
以上のことから、本考案に係る支持金具セットは前記接合台により形成される特殊な構造及び１つまたは２つの支持形鋼の装設及び定位を素早く完成でき、その後に前記固定部材を使用して固定する利便性が向上する。固定が完成した後、実際の需要に応じて前記調整台を利用して前記支持形鋼の左右の偏心回転角度を更に調整可能であり、同期で前記支持形鋼に連結されるソーラーパネルモジュールの角度調整を行う効果を達成させる。
【図面の簡単な説明】
【００１１】
【図１】本考案の実施例１による支持材を示す外観斜視図である。
【図２】本考案の実施例１による支持金具セットを示す側面図である。
【図３】本考案の実施例１による支持金具セットを示す上面図である。
【図４】本考案の実施例１による支持金具セットが支持形鋼を合わせて使用する組立を示す概略図である。
【図５】本考案の実施例１による支持金具セットが支持形鋼を合わせて使用する外観平面図でり、調整台が支持材に対して左に偏心回転を行う。
【図６】図５と同様に、調整台が支持材に対して右に偏心回転を行う。
【図７】本考案の実施例２による支持金具セットを示す外観斜視図である。
【図８】本考案の実施例２による支持金具セットが２本の支持形鋼を合わせて使用する組立を示す概略図である。
【図９】本考案の実施例３による支持金具セットを示す外観斜視図である。
【考案を実施するための形態】
【００１２】
以下に、本考案に係るソーラーパネルモジュール用支持金具セットの実施の形態を図面に基づいて詳細に説明する。なお、各実施の形態によりこの考案が限定されるものではない。また、本明細書で述べる「内」、「外」、「上」、「左」、「右」等の方向の形容詞は正常な使用方向を基準として例示する用語であり、主張の範囲を制限するものではない。
【実施例１】
【００１３】
本考案の実施例１の構成を図１から図６に示す。まず、本考案の実施例１の支持金具セット１０は、支持材２０と、調整台３０と、接合台４０とを備える（図１参照）。
【００１４】
支持材２０は本実施例では円形ロッドである。支持材２０の上端には上部孔２２を有し（図４参照）、支持材２０の底端は主に建築物の屋根や室外の地面に固定させるために用いられる。
【００１５】
調整台３０は上部板３１及び２片の垂設片３２を有する。上部板３１は支持材２０の上端上方に位置され、前記２片の垂設片３２は上部板３１の対向する両側辺に一体に連接されると共に支持材２０の外周面に当接される。前記２片の垂設片３２は円形を呈する軸孔３３をそれぞれ有する（図４参照）。１本のシャフト３４（図示するボルト）が前記２片の垂設片３２の軸孔３３、支持材２０の上部孔２２、及びワッシャー３５を貫通させた後、ナット３６により固定され、シャフト３４の軸方向が支持材２０の軸方向に垂直になる。これにより、調整台３０がシャフト３４を軸心として支持材２０に対して左向きまたは右向きに所定の角度で偏心回転を行う（図５及び図６参照）。
【００１６】
接合台４０は底板４１及び２片の立設片４２を有する。図２乃至図４に示されるように、底板４１は溶接または２組の固定部材４７（図示するボルト、ナット、及びワッシャーの組み合わせ）及び調整台３０の上部板３１により固定される。前記２片の立設片４２は底板４１の対向する両側辺に一体に連接されると共に調整台３０の垂設片３２に互いに平行する。本実施例では、各立設片４２の対向する両端はそれぞれ機械加工方式で内側に湾曲されることで第一位置決め部４３及び第二位置決め部４４が一体に形成され、前記２片の立設片４２の第一位置決め部４３は互いに対向し合い、前記２片の立設片４２の第二位置決め部４４も互いに対向し合い、これにより接合台４０には底板４１の上面、前記２片の立設片４２の内側面、及び前記２片の立設片４２の第一位置決め部４３及び第二位置決め部４４の間に第一設置空間４５が形成される。また、各立設片４２は上下に配列される２つの第一貫通孔４６を更に有し、前記第一貫通孔４６は第一位置決め部４３と第二位置決め部４４との間に位置されると共に第一設置空間４５に連通される。
【００１７】
実際の使用において、図４に示されるように、まず支持形鋼５０の底端が第一設置空間４５内に直立するように挿設され、支持形鋼５０の上端がソーラーパネルモジュール（図示省略）と共に固定される。次いで、２本のボルト５１が対になって前記２片の立設片４２の第一貫通孔４６、支持形鋼５０の長形孔（図示省略）、及びワッシャー５２を貫通させ、最後にナット５３によりそれぞれ螺合される。こうして支持形鋼５０と接合台４０との間の装設及び定位が完成する。また、ナット３６を緩めた後に調整台３０と共に接合台４０及び接合台４０に螺合される支持形鋼５０を一緒にシャフト３４を軸心として支持材２０に対して左向きまたは右向きに所定の角度で偏心回転させ、図５及び図６に示されるように、適切な位置に調整させた後にナット３６を締めることにより固定させる。これにより、支持形鋼５０及び支持形鋼５０と共に装設されるソーラーパネルモジュールに対する角度調整効果を達成させる。
【実施例２】
【００１８】
本考案の実施例２の構成を図７及び図８に示す。本実施例の支持金具セット１２が提供する支持材２０及び調整台３０の構造は前述の実施例と同じであり、主な差異は、接合台６０の構造の違いである。つまり、底板６１は同様に溶接または前述の実施例と同じ固定部材（図示省略）及び調整台３０の上部板３１が使用されて一緒に固定される。立設片６２の長さは前述の実施例で提供される立設片４２より長く、立設片６２の第一位置決め部６３は立設片６２の内の一端（図７の方向から見ると左端）の内側面から一体で突出され、立設片６２の第二位置決め部６４は立設片６２の中央部から機械加工方式で内側に湾曲されるように形成される。接合台６０には底板６１の上面、前記２片の立設片６２の内側面、及び前記２片の立設片６２の第一位置決め部６３及び第二位置決め部６４の間に第一設置空間６５が形成されるほか、底板６１の上面、前記２片の立設片６２の他端（図７の方向から見ると右端）、及び前記２片の立設片６２の第二位置決め部６４の間に第一設置空間６５に隣接する第二設置空間６７が形成される。また、各立設片６２は細長い形状を呈する第二貫通孔６８を更に有し、第二貫通孔６８の長軸方向はシャフト３４の軸方向及び支持材２０の軸方向に垂直になり、第二貫通孔６８は互いに対向し合うと共に第二設置空間６７に連通される。
【００１９】
実際の使用において、図８に示されるように、まず支持形鋼５０が第一設置空間６５内に直立するように挿設される。その後、２本のボルト５１が対になって前記２片の立設片６２の第一貫通孔６６、支持形鋼５０の長形孔（図示省略）、及びワッシャー５２を貫通させ、最後にナット５３によりそれぞれ螺合される。こうして支持形鋼５０と接合台６０との間の装設及び定位が完成する。次いで、他の支持形鋼５４が第二設置空間６７内に傾斜するように挿設され、その後、ボルト５６が前記２片の立設片６２の第二貫通孔６８、支持形鋼５４の長形孔５５、及びワッシャー５７を貫通させ、最後にナット５８により螺合される。こうして、支持形鋼５４と接合台６０の間の装設及び定位が完成する。また、支持形鋼５４の装設過程では、第二貫通孔６８の長形状の構造を通して状況を見ながら支持形鋼５４の角度を調整でき、支持形鋼５４及び支持形鋼５０が共にソーラーパネルモジュールに対して好ましい支持効果を提供する。支持形鋼５０、５４が支持形鋼５０、５４と共に装設されるソーラーパネルモジュールに対する角度調整方式及び過程は全て前述の実施例と同じであるため、再述しない。
【実施例３】
【００２０】
本考案の実施例３の構成を図９に示す。本実施例の支持金具セット１４が提供する調整台３０及び接合台６０の構造は前述の実施例２と同じであり、主な差異は、支持材７０について、本実施例では前述の実施例で使用される円形ロッドではなく形鋼で代替させており、且つ支持材７０が直立状態で設置され、支持材７０の長さ方向がシャフト３４の軸方向に垂直になる点である。支持形鋼５０、５４の装設、定位、及び角度調整方式並びに過程は全て前述の実施例２と同じであるため、再述しない。
【００２１】
総合すると、本考案に係る支持金具セット１０、１２、１４は接合台４０、６０により形成される特殊な構造及び１つまたは２つの支持形鋼５０、５４により装設及び定位を素早く完成させることができ、その後の固定の利便性が向上する。固定が完成した後、実際の需要に応じて調整台３０を使用して支持形鋼５０、５４の左右の偏心回転角度を調整可能であり、支持形鋼５０、５４が共に装設されるソーラーパネルモジュールの角度調整を同期で行う効果を達成させる。
【００２２】
以上、本考案を実施の形態をもとに説明した。この実施の形態は例示であり、それらの各構成要素や各処理プロセスの組合せにいろいろな変形例が可能なこと、またそうした変形例も本考案の範囲にあることは当業者に理解されるところである。
【符号の説明】
【００２３】
１０  支持金具セット
２０  支持材
２２  上部孔
３０  調整台
３１  上部板
３２  垂設片
３３  軸孔
３４  シャフト
３５  ワッシャー
３６  ナット
４０  接合台
４１  底板
４２  立設片
４３  第一位置決め部
４４  第二位置決め部
４５  第一設置空間
４６  第一貫通孔
４７  固定部材
５０  支持形鋼
５１  ボルト
５２  ワッシャー
５３  ナット
１２  支持金具セット
５４  支持形鋼
５５  長形孔
５６  ボルト
５７  ワッシャー
５８  ナット
６０  接合台
６１  底板
６２  立設片
６３  第一位置決め部
６４  第二位置決め部
６５  第一設置空間
６６  第一貫通孔
６７  第二設置空間
６８  第二貫通孔
１４  支持金具セット
７０  支持材
【図１】
0003217891.tif 000003
【図２】
0003217891.tif 000004
【図３】
0003217891.tif 000005
【図４】
0003217891.tif 000006
【図５】
0003217891.tif 000007
【図６】
0003217891.tif 000008
【図７】
0003217891.tif 000009
【図８】
0003217891.tif 000010
【図９】
0003217891.tif 000011